(57)【特許請求の範囲】
【請求項１】
前面パネルを有すると共に、熱交換器を収容したケーシングと、
前記ケーシングの下端部の前方に設けられ、床面近傍にある空気を吸い込む吸込口と、
前記ケーシングの上端部に設けられ、空気を吹き出す吹出口と、
前記ケーシング内において前記吸込口から前記熱交換器に至る流路に設けられたフィルタと、
前記熱交換器の下方に設けられたドレンパンとを備え、
前記熱交換器が、
前記前面パネルの背面に対向するように配置された前面熱交換器と、
前記前面熱交換器の下端近傍から背面に近付くにつれて上方に傾斜する背面熱交換器とを有し、
前記吸込口から吸い込まれた空気が前記前面熱交換器に流れると共に、
前記前面熱交換器に流れる空気の一部が前記ドレンパンより下方において分かれて前記背面熱交換器に供給されるように構成され、
前記ドレンパンの前後方向長さが前記熱交換器の前後方向長さと略同一であり、かつ、前記ドレンパンの後端が前記吸込口の後端より背面側に配置され、
前記フィルタが、前記前面パネルと前記前面熱交換器との間に挿入され、その下端部が前記吸込口の後端縁近傍に配置されたものであって、
前記フィルタの前記ドレンパンより下方の少なくとも一部が前方に凸に湾曲していることを特徴とする床置き室内機。
【請求項２】
前記前面熱交換器が、前記前面パネルに略平行に設けられていることを特徴とする請求項１に記載の床置き室内機。
【請求項３】
前記前面熱交換器の面積が、前記背面熱交換器の面積より大きいことを特徴とする請求項１または２に記載の床置き室内機。
【請求項４】
前記ケーシング内において前記前面熱交換器及び前記背面熱交換器と対向するように設けられたクロスフローファンを備えることを特徴とする請求項１〜３のいずれか１項に記載の床置き室内機。
【請求項５】
前記フィルタの前記前面熱交換器より下方の少なくとも一部が前方に凸に湾曲するようにガイドするガイド手段を備えることを特徴とする請求項１〜４のいずれか１項に記載の床置き室内機。
【発明の詳細な説明】
【技術分野】
【０００１】
本発明は、前面熱交換器及び背面熱交換器を有する略Ｖ字形状の熱交換器を備えた床置き室内機に関するものである。
【背景技術】
【０００２】
従来の床置き室内機としては、ケーシングの下端部の前方に設けられた吸込口から床面近傍にある空気を吸い込み、ケーシングの上端部に設けられた吹出口から吹き出すものが知られている（例えば、特許文献１参照）。吸込口から吸い込まれた空気は、ケーシング内に収容された熱交換器に供給され、熱交換器内を流れる冷媒との熱交換により加熱される。そして、吹出口からは、加熱された空気が吹き出される。
【先行技術文献】
【特許文献】
【０００３】
【特許文献１】実開昭６３−１８５０２３号公報
【発明の概要】
【発明が解決しようとする課題】
【０００４】
上述のような構成の床置き室内機において、ケーシングの前面パネルの背面と対向するように配置された前面熱交換器と、前面熱交換器の下端近傍から背面に近付くにつれて上方に傾斜する背面熱交換器とを有する略Ｖ字形状の熱交換器を用いることが考えられる。このような熱交換器を用いた場合には、ケーシングの下端部の前方に設けられた吸込口から吸い込まれた空気は、前面熱交換器側に比べて背面熱交換器側には流れにくい。したがって、背面熱交換器に十分な空気が供給されず、熱交換器の熱交換効率が低下するという問題が生じる。
【０００５】
そこで、本発明は、上記のような課題を解決するためになされたものであり、熱交換効率の低下を防ぐことができる床置き室内機を提供することを目的とする。
【課題を解決するための手段】
【０００６】
第１の発明にかかる床置き室内機は、前面パネルを有すると共に、熱交換器を収容したケーシングと、前記ケーシングの下端部の前方に設けられ、床面近傍にある空気を吸い込む吸込口と、前記ケーシングの上端部に設けられ、空気を吹き出す吹出口と、前記ケーシング内において前記吸込口から前記熱交換器に至る流路に設けられたフィルタと、前記熱交換器の下方に設けられたドレンパンとを備え、前記熱交換器が、前記前面パネルの背面に対向するように配置された前面熱交換器と、前記前面熱交換器の下端近傍から背面に近付くにつれて上方に傾斜する背面熱交換器とを有し、前記吸込口から吸い込まれた空気が前記前面熱交換器に流れると共に、前記前面熱交換器に流れる空気の一部が前記ドレンパンより下方において分かれて前記背面熱交換器に供給されるように構成され、前記ドレンパンの前後方向長さが前記熱交換器の前後方向長さと略同一であり、かつ、前記ドレンパンの後端が前記吸込口の後端より背面側に配置され、前記フィルタが、前記前面パネルと前記前面熱交換器との間に挿入され、その下端部が前記吸込口の後端縁近傍に配置されたものであって、前記フィルタの前記ドレンパンより下方の少なくとも一部が前方に凸に湾曲している。
【０００７】
なお、「（吸込口が）ケーシングの下端部の前方に設けられ」とは、ケーシングの下端部における前後方向中央位置よりも前方側に形成されている部分が、前後方向中央位置よりも背面側に形成されている部分よりも大きくなるように吸込口が設けられていることを意味している。
【０００８】
この床置き室内機では、吸込口から背面熱交換器に至る流路において、フィルタが湾曲していない状態で設けられる場合に比べて、ドレンパンよりも下方におけるフィルタの面積を増加させ、通風抵抗を小さくすることができる。したがって、ケーシングの下端部の前方に設けられた吸込口から吸い込まれた空気は、ドレンパンよりも下方において、フィルタを通過して背面側に流れやすくなる。よって、背面熱交換器への空気の供給不足を抑制し、熱交換器の熱交換効率の低下を抑えることができる。
この床置き室内機では、ドレンパンが備えられているので、ドレンパンによって背面熱交換器に空気が供給されにくくなる。よって、このような場合に、本発明を適用するのは効果的である。
【０００９】
【００１０】
【００１１】
第２の発明にかかる床置き室内機では、第１の発明にかかる床置き室内機において、前記前面熱交換器が、前記前面パネルに略平行に設けられている。
【００１２】
この床置き室内機では、前面熱交換器が前面パネルに対して傾斜している場合に比べて、前面パネルと前面熱交換器との間に形成された空気流路の抵抗を小さくできる。
【００１３】
第３の発明にかかる床置き室内機では、第１または第２の発明にかかる床置き室内機において、前記前面熱交換器の面積が、前記背面熱交換器の面積より大きい。
【００１４】
この床置き室内機では、比較的面積の小さい背面熱交換器側は、前面熱交換器側に比べて空気が流れにくくなる。よって、このような場合に、本発明を適用するのは効果的である。
【００１５】
第４の発明にかかる床置き室内機では、第１〜第３のいずれかの発明にかかる床置き室内機において、前記ケーシング内において前記前面熱交換器及び前記背面熱交換器と対向するように設けられたクロスフローファンを備える。
【００１６】
この床置き室内機では、クロスフローファンの駆動によって吸込口から吸い込まれた空気を、前面熱交換器及び背面熱交換器に供給できる。
【００１７】
第５の発明にかかる床置き室内機では、第１〜第４のいずれかの発明にかかる床置き室内機において、前記フィルタの前記前面熱交換器より下方の少なくとも一部が前方に凸に湾曲するようにガイドするガイド手段を備える。
【００１８】
この床置き室内機では、ガイド手段によって、確実にフィルタを湾曲させることができる。
【発明の効果】
【００１９】
以上の説明に述べたように、本発明によれば、以下の効果が得られる。
【００２０】
第１の発明では、吸込口から背面熱交換器に至る流路において、フィルタが湾曲していない状態で設けられる場合に比べて、ドレンパンよりも下方におけるフィルタの面積を増加させ、通風抵抗を小さくすることができる。したがって、ケーシングの下端部の前方に設けられた吸込口から吸い込まれた空気は、ドレンパンよりも下方において、フィルタを通過して背面側に流れやすくなる。よって、背面熱交換器への空気の供給不足を抑制し、熱交換器の熱交換効率の低下を抑えることができる。
【００２１】
第１の発明では、ドレンパンが備えられているので、ドレンパンによって背面熱交換器に空気が供給されにくくなる。よって、このような場合に、本発明を適用するのは効果的である。
【００２２】
第２の発明では、前面熱交換器が前面パネルに対して傾斜している場合に比べて、前面パネルと前面熱交換器との間に形成された空気流路の抵抗を小さくできる。
【００２３】
第３の発明では、比較的面積の小さい背面熱交換器側は、前面熱交換器側に比べて空気が流れにくくなる。よって、このような場合に、本発明を適用するのは効果的である。
【００２４】
第４の発明では、クロスフローファンの駆動によって吸込口から吸い込まれた空気を、前面熱交換器及び背面熱交換器に供給できる。
【００２５】
第５の発明では、ガイド手段によって、確実にフィルタを湾曲させることができる。
【図面の簡単な説明】
【００２６】
【図１】本発明の実施形態に係る床置き室内機を備えた空気調和機の回路図である。
【図２】図１に示す床置き室内機の斜視図である。
【図３】図１に示す床置き室内機の正面図である。
【図４】図３に示す床置き室内機のIV-IV線に沿う断面図である。
【図５】図３に示す床置き室内機の前面グリル及び開閉パネルを外した状態を示す図である。
【図６】図５に示す状態の床置き室内機並びに前面グリル、サイドカバー、上部フィルタ、下部フィルタ及び開閉パネルの分解斜視図である。
【図７】図６に示す一点鎖線で囲まれた部分の拡大図である。
【図８】図４に示す断熱カバーの背面の斜視図である。
【図９】図８に示す断熱カバーのIX-IX線に沿う断面図である。
【図１０】（ａ）は図８に示す断熱カバーのX-X線に沿う断面図であり、（ｂ）は（ａ）において一点鎖線で囲まれた部分の拡大図である。
【図１１】図３に示す床置き室内機の開閉パネルを外した状態を示す模式図である。
【図１２】図１１に示す前面グリル及び輻射パネルにそれぞれ設けられた主ガイドを示す模式図である。
【図１３】図１２に示す下フィルタガイド部材に下部フィルタを装着する手順を説明するための図である。
【発明を実施するための形態】
【００２７】
以下、本発明の実施形態に係る床置き室内機１を備えた空気調和機１００について説明する。
【００２８】
＜空気調和機１００の概略構成＞
図１に示すように、本実施形態の空気調和機１００は、室内に設置される床置き室内機１（以下、単に「室内機」と称する）と、室外に設置される室外機５とを備えている。室内機１は、室内熱交換器２２と、室内熱交換器２２の近傍に配置されたクロスフローファン２１と、輻射パネル３０と、室内電動弁１７と、室内の気温を検出するための室内温度センサ４６とを備えている。また、室外機５は、圧縮機５０と、四路切換弁５１と、室外熱交換器５２と、室外熱交換器５２の近傍に配置された室外ファン５３と、室外電動弁５４とを備えている。
【００２９】
冷媒回路６０は、室内熱交換器２２、圧縮機５０、四路切換弁５１、室外熱交換器５２及び室外電動弁５４が接続された環状の主流路６１を有している。室外熱交換器５２には、室外熱交温度センサ５７が付設されている。主流路６１を構成する室内機１内の配管における室内熱交換器２２の両側には、分岐部６０ａ、６０ｂがそれぞれ設けられている。そして、分岐部６０ａ、６０ｂには、バイパス配管６２の両端が接続されている。すなわち、室内熱交換器２２の両側の配管が、バイパス配管６２によって接続されている。このバイパス配管６２には、輻射パネル３０と室内電動弁１７とが設けられている。バイパス配管６２における輻射パネル３０の両側には、パネル入温度センサ２７とパネル出温度センサ２８とが付設されている。また、主流路６１における圧縮機５０の吸入側と四路切換弁５１との間にはアキュムレータ５５が介設されており、圧縮機５０の吐出側と四路切換弁５１との間には、吐出温度センサ５６が付設されている。
【００３０】
室内熱交換器２２は、冷媒回路６０の一部を構成する配管を有しており、室内熱交温度センサ２９が付設されている。室内熱交換器２２は、クロスフローファン２１の風上側に配置されている。室内熱交換器２２内を流れる冷媒との熱交換により加熱または冷却された空気が、クロスフローファン２１によって温風または冷風として室内に吹き出されることで、温風暖房または冷房が行われる。
【００３１】
輻射パネル３０は、後で詳述するように、室内機１の表面の一部を構成しており、冷媒回路６０の一部を構成するパネル配管３３（図４参照）を有している。このパネル配管３３を流れる冷媒の熱が、室内に輻射されることで、輻射暖房が行われる。室内電動弁１７は、輻射パネル３０に供給される冷媒の流量を調整するために設けられている。
【００３２】
本実施形態の空気調和機１００において実施される運転モードとしては、冷房モード、温風暖房モード及び輻射暖房モードがある。冷房モードは、輻射パネル３０に冷媒を流さないで室内熱交換器２２に冷媒を流して冷房を行うモードであって、温風暖房モードは、輻射パネル３０に冷媒を流さないで室内熱交換器２２に冷媒を流して温風暖房を行うモードである。輻射暖房モードは、室内熱交換器２２に冷媒を流して温風暖房を行いつつ、輻射パネル３０に冷媒を流して輻射暖房を行うモードである。
【００３３】
温風暖房モードにおいては、室内電動弁１７が閉弁されると共に、四路切換弁５１が図１中実線で示す状態に切り換えられる。そのため、図１中実線の矢印で示すように、圧縮機５０から吐出された高温高圧冷媒は、四路切換弁５１を通って、室内熱交換器２２に流入する。そして、室内熱交換器２２において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００３４】
輻射暖房モードにおいては、室内電動弁１７が開弁されると共に、四路切換弁５１が図１中実線で示す状態に切り換えられる。そのため、図１中破線の矢印で示すように、圧縮機５０から吐出された高温高圧冷媒は、四路切換弁５１を通って、室内熱交換器２２と輻射パネル３０とに流入する。そして、室内熱交換器２２と輻射パネル３０において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００３５】
＜室内機１の構成＞
次に、室内機１の構成について説明する。
図２に示すように、室内機１は、全体として直方体形状を有しており、室内の床面近傍に据え付けるものである。本実施形態においては、室内機１は、床面から１０ｃｍ程度浮かした状態で、壁面に取り付けられている。なお、以下の説明において、室内機１が取り付けられる壁から突出する方向を「前方」と称し、その反対の方向を「後方」と称する。また、図２に示す左右方向を単に「左右方向」と称し、上下方向を単に「上下方向」と称する。
【００３６】
図４に示すように、室内機１は、ケーシング１０と、ケーシング１０内に収容されたクロスフローファン２１、室内熱交換器２２、吹出口ユニット２５及び電装品ユニット２６などの内部機器と、前面グリル１２とを主に備えている。後で詳述するように、ケーシング１０は、その下端部の前方に形成された主吸込口１０ａと、その前壁に形成された補助吸込口１０ｂ、１０ｃとを有している。さらに、ケーシング１０の上端部には、吹出口１０ｄが形成されている。ケーシング１０内には、主吸込口１０ａ及び補助吸込口１０ｂから吹出口１０ｄに至る流路が形成されている。室内機１においては、クロスフローファン２１の駆動により、主吸込口１０ａから床面近傍にある空気を吸い込みつつ、補助吸込口１０ｂ、１０ｃからも空気を吸い込む。そして、室内熱交換器２２において、吸い込んだ空気に対して加熱または冷却などを行い調和し、調和後の空気を吹出口１０ｄから吹き出して室内へと返流させる。
【００３７】
ケーシング１０は、本体フレーム１１、吹出口カバー４１、輻射パネル３０、開閉パネル（開閉部材）４２及びサイドパネル１５（図６参照）で構成されている。なお、後述するように、吹出口カバー４１は前面パネル部４１ａを有しており、輻射パネル３０は前面パネル部３１を有している。吹出口カバー４１の前面パネル部４１ａ、輻射パネル３０の前面パネル部３１及び開閉パネル４２は、ケーシング１０の前面において面一となるように配置され、前面パネル４を構成する。図２に示すように、前面パネル４の右上端部、すなわち吹出口カバー４１の前面パネル部４１ａの右端部には、電源ボタン１８と、運転状況を示す発光表示部１９とが設けられている。
【００３８】
本体フレーム１１は、壁面に取り付けられるものであり、上述の各種内部機器を支持している。前面グリル１２、吹出口カバー４１、輻射パネル３０及び開閉パネル４２は、内部機器を支持している状態の本体フレーム１１の前面に取り付けられている。吹出口カバー４１は、本体フレーム１１の上端部に取り付けられており、その上壁に左右方向に長い矩形状の開口である吹出口１０ｄが形成されている。輻射パネル３０は吹出口カバー４１の下方に、開閉パネル４２は輻射パネル３０の下方にそれぞれ取り付けられている。本体フレーム１１の下前端と開閉パネル４２の下端との間は、左右方向に長い開口である主吸込口１０ａとなっている。なお、図４に示すように、主吸込口１０ａは、ケーシング１０の下端部における前後方向中央位置（矢印で示す位置）よりも前方側に設けられている。
【００３９】
ここで、ケーシング１０内に収容される各内部機器について説明する。
クロスフローファン２１は、ケーシング１０の高さ方向中央部分のやや上方において、その軸方向が左右方向に沿うように配置されている。クロスフローファン２１は、下前方から空気を吸い込んで、上後方に吹き出すようになっている。
【００４０】
室内熱交換器２２は、前面パネル４と略平行に配置されており、前面パネル４の背面と対向する前面熱交換器２２ａと、前面熱交換器２２ａの下端部近傍から背面に近付くにつれて上方に傾斜する背面熱交換器２２ｂとで構成されている。前面熱交換器２２ａは、クロスフローファン２１の前方に配置されており、その上半分がクロスフローファン２１と対向している。図４に示すように、前面熱交換器２２ａの上端は、クロスフローファン２１の上端よりも上方に位置している。背面熱交換器２２ｂは、クロスフローファン２１の下方に配置されている。すなわち、室内熱交換器２２は、全体として略Ｖ字の形状を有しており、クロスフローファン２１の前方と下方とを取り囲むように、クロスフローファン２１と対向して配置されている。
【００４１】
なお、図４に示すように、上下方向に延在する前面熱交換器２２ａの延在長さＬ１は、前面熱交換器２２ａの下端近傍から背面に向けて斜めに延在する背面熱交換器２２ｂの延在長さＬ２よりも長い。また、前面熱交換器２２ａと背面熱交換器２２ｂとの正面視における左右方向に沿う長さはほぼ同じである。したがって、前面熱交換器２２ａにおいて主吸込口１０ａからの空気が供給される部分の面積、すなわち、前面熱交換器２２ａの前方に向いた面の面積は、背面熱交換器２２ｂにおいて主吸込口１０ａからの空気が供給される部分の面積、すなわち、背面熱交換器２２ｂの後ろ斜め下方を向いた面の面積よりも大きい。
【００４２】
正面視において室内熱交換器２２の右側には、室外機５から送られてきた冷媒を室内熱交換器２２及び輻射パネル３０に供給するための配管が配置されている。より具体的には、図１において、分岐部６０ａから室内熱交換器２２及び輻射パネル３０にそれぞれ至る配管、並びに室内熱交換器２２及び輻射パネル３０から分岐部６０ｂにそれぞれ至る配管が、室内熱交換器２２の右側に配置されている。図５に示すように、これらの配管の前方には防滴カバー２３が取り付けられている。
【００４３】
室内熱交換器２２の下端部近傍には、左右方向に延在するドレンパン２４が配置されている。図５に示すように、正面視において、ドレンパン２４の左側の端部は、室内熱交換器２２の端部とほぼ対向する位置にあり、右側の端部は、室内熱交換器２２の右側に配置された配管と対向する位置にある。また、図４に示すように、ドレンパン２４の前後方向の端部は、室内熱交換器２２の前後方向の端部とほぼ対向する位置にある。図４に示すように、主吸込口１０ａから吸い込まれた空気は、ドレンパン２４の下方において前方側と後方側とに分かれ、前面熱交換器２２ａと背面熱交換器２２ｂとにそれぞれ供給される。
【００４４】
吹出口ユニット２５は、クロスフローファン２１の上方に配置されており、クロスフローファン２１から吹き出された空気をケーシング１０の上端部に形成された吹出口１０ｄへと導くものである。吹出口ユニット２５は、吹出口１０ｄの近傍に配置される水平フラップ２５ａを備えている。水平フラップ２５ａは、吹出口１０ｄから吹き出される空気流の上下方向の風向きを変更すると共に、吹出口１０ｄの開閉を行う。
【００４５】
電装品ユニット２６は、図５に示すように、ドレンパン２４の下方に配置されており、回路基板（図示せず）などを収容する電装品箱２６ａと、電装品箱２６ａに収容された基板と電気的に接続される端子台２６ｂとを有している。電装品箱２６ａは、室内熱交換器２２の右半分とほぼ対向する位置に配置されており、端子台２６ｂは、室内熱交換器２２の右側に配置された配管と対向する位置に配置されている。また、電装品ユニット２６から引き出された配線は、端子台２６ｂの右側からまっすぐ上方に引き回され、前面パネル４の右上端部に設けられた電源ボタン１８及び発光表示部１９のＬＥＤ発光体に接続されている。
【００４６】
前面グリル１２は、図６に示すように、上述の各種内部機器と、吹出口カバー４１と、輻射パネル３０とが取り付けられた状態の本体フレーム１１に取り付けられる。図４に示すように、前面グリル１２は、前面熱交換器２２ａの上下方向略中央部分から、本体フレーム１１の下端までを覆うように配置される。前面グリル１２の下端部には、主吸込口１０ａに配置される吸込口グリル１４が設けられている。また、前面グリル１２の本体フレーム１１を覆う部分には、後で詳述するように、輻射パネル３０の背面に設けられた主ガイド７２等と協働して、上部フィルタ１６ａ及び下部フィルタ１６ｂをガイドする主ガイド７１、７２等が設けられている。なお、図６に示すように、前面グリル１２の左右両側方には、ケーシング１０の側面の一部を構成するサイドパネル１５が取り付けられる。
【００４７】
ここで、図６に示すように、本実施形態の室内機１においては、左右に並んで配置される２枚の上部フィルタ１６ａと、各上部フィルタ１６ａの下方に配置される２枚の下部フィルタ１６ｂとの合計４枚のフィルタが取り付けられる。上部フィルタ１６ａの上下方向に沿う長さＬ３は、下部フィルタ１６ｂの上下方向に沿う長さＬ４よりも短く、上部フィルタ１６ａの幅（左右方向に沿う長さ）は、下部フィルタ１６ｂの幅とほぼ同じである。すなわち、上部フィルタ１６ａの面積は、下部フィルタ１６ｂの面積よりも小さい。
【００４８】
ここで、図６に示すように、本実施形態の室内機１においては、左右に並んで配置される２枚の上部フィルタ１６ａと、各上部フィルタ１６ａの下方に配置される２枚の下部フィルタ１６ｂとの合計４枚のフィルタが取り付けられる。上部フィルタ１６ａの上下方向に沿う長さＬ１は、下部フィルタ１６ｂの上下方向に沿う長さＬ２よりも短く、上部フィルタ１６ａの幅（左右方向に沿う長さ）は、下部フィルタ１６ｂの幅とほぼ同じである。すなわち、上部フィルタ１６ａの面積は、下部フィルタ１６ｂの面積よりも小さい。
【００４９】
図４に示すように、上部フィルタ１６ａ及び下部フィルタ１６ｂは、前面熱交換器２２ａと前面パネル４との間の空間、すなわち主吸込口１０ａ及び補助吸込口１０ｂ、１０ｃから前面熱交換器２２ａに至る流路に設けられている。上部フィルタ１６ａは、図４において上フィルタ装着領域（Ａで示す領域）に装着されるものであり、上下方向に延在しており、その下端は前面熱交換器２２ａの上下方向略中央部分と対向している。下部フィルタ１６ｂは、図４において下フィルタ装着領域（Ｂで示す領域）に装着されるものであり、上部フィルタ１６ａの下端の近傍から下方に設けられていると共に、その下半分が前方に凸に湾曲している。より詳細には、下部フィルタ１６ｂは、室内熱交換器２２の下端部近傍に配置されたドレンパン２４よりも下方の部分が湾曲している。下部フィルタ１６ｂの下端は、主吸込口１０ａの後端縁近傍に位置している。
【００５０】
図１１においては、左方に配置される上部フィルタ１６ａの上フィルタ装着領域は、網掛けハッチングで示された領域に対応する。また、左方に配置される下部フィルタ１６ｂの下フィルタ装着領域は、ドットハッチングで示された領域に対応する。図１１に示すように、上フィルタ装着領域のうち上端側の大部分（下端部を除いた領域であり、図１１においてａ１で示す領域）は、輻射パネル３０によって覆われている。なお、輻射パネル３０は、本発明の外周部分に対応する。上フィルタ装着領域の下端部（図１１においてａ２で示す領域）及び下フィルタ装着領域は、開閉パネル４２と対向する領域にある。したがって、図１１に示すように、開閉パネル４２を取り外した状態では、上フィルタ装着領域の下端部及び下フィルタ装着領域は露出した状態となる。
【００５１】
上部フィルタ１６ａは、その装着領域の下端部に設けられたａ２で示す領域から上方に向かって挿入される。また、下部フィルタ１６ｂは、その装着領域の上端部から下方に向かって挿入される。
【００５２】
図６及び図１１に示すように、前面グリル１２には、上部フィルタ１６ａをガイドする上フィルタガイド部材７０の一部を構成する主ガイド７１と、下部フィルタ１６ｂをガイドする下フィルタガイド部材８０を構成する主ガイド８１及び補助ガイド８２とが設けられている。主ガイド７１、８１は、上フィルタ装着領域及び下フィルタ装着領域の左右に設けられた壁面１３において背面側に設けられており、補助ガイド８２は、壁面１３において前面側に設けられている。これら主ガイド７１、８１及び補助ガイド８２は、いずれも壁面１３から上フィルタ装着領域または下フィルタ装着領域に向かって突出するように形成されている。主ガイド７１、８１及び補助ガイド８２の詳細については、後述する。
【００５３】
図４に示すように、吹出口カバー４１は、吹出口ユニット２５を覆っている。そして、上述のように、吹出口カバー４１の上壁には吹出口１０ｄが形成されている。また、吹出口カバー４１の前面には、前面パネル部４１ａが設けられている。前面パネル部４１ａは、左右方向に長い矩形形状を有している。ここで、図３に示すように、前面パネル部４１ａの上下方向の長さをＬとする。
【００５４】
輻射パネル３０は、左右に長い略矩形形状を有しており、ケーシング１０の高さ方向中央より上方に設けられている。図４に示すように、輻射パネル３０は、アルミ製の前面パネル部３１と、前面パネル部３１の背面を覆うように取り付けられた樹脂製の断熱カバー３２と、前面パネル部３１の背面に接触するように取り付けられたパネル配管３３とで主に構成されている。パネル配管３３は、冷媒回路６０を構成する配管の一部である。室外機５から送られてきた冷媒はパネル配管３３内に流入し、前面パネル部３１の背面を正面視において右側端部から左側端部まで流れる。その後折り返して左側端部から右側端部まで流れ、右側端部からパネル配管３３の外に流れ出る。
【００５５】
前面パネル部３１の上下方向の長さは、吹出口カバー４１の前面パネル部４１ａのほぼ２倍である。すなわち、図３に示すように、前面パネル部３１の上下方向の長さは約２Ｌである。前面パネル部３１は、吹出口カバー４１の前面パネル部４１ａの下方に位置している。図４に示すように、輻射パネル３０の上下方向略中央部分は、前面熱交換器２２ａの上端部に対向している。
【００５６】
図８及び図１０に示すように、断熱カバー３２の背面には、上部フィルタ１６ａをガイドする上フィルタガイド部材７０の一部を構成する主ガイド７２及び補助ガイド７３が設けられている。なお、図１１においては、主ガイド７２を破線で示している。図１１に示すように、主ガイド７２は、前面グリル１２に設けられた主ガイド７１の上方に位置する。主ガイド７２は、上フィルタ装着領域の左右に設けられた壁面３４において背面側に設けられており、補助ガイド７３は、壁面３４において前面側に設けられている。これら主ガイド７２及び補助ガイド７３は、いずれも壁面３４から上フィルタ装着領域に向かって突出するように形成されている。主ガイド７２及び補助ガイド７３の詳細については、後述する。
【００５７】
開閉パネル４２は、輻射パネル３０の前面パネル部３１の下方に開閉可能に設けられている。開閉パネル４２は、左右方向に長い矩形形状を有しており、その上下方向の長さは、吹出口カバー４１の前面パネル部４１ａのほぼ４倍である。すなわち、図３に示すように、開閉パネル４２の上下方向の長さは約４Ｌである。図４に示すように、開閉パネル４２の上端の上下方向位置は、前面グリル１２の上端とほぼ同じである。上述のように、開閉パネル４２の下端は、主吸込口１０ａの一部を構成している。したがって、上述のように、開閉パネル４２を取り外すことにより、前面グリル１２に設けられた上フィルタ装着領域の下端部（領域ａ２）と、下フィルタ装着領域（領域Ｂ）とを露出させ、上部フィルタ１６ａ及び下部フィルタ１６ｂの着脱を行うことができるフィルタ挿入可能状態となる。
【００５８】
上述のように、前面パネル４は、吹出口カバー４１に設けられた前面パネル部４１ａと、輻射パネル３０に設けられた前面パネル部３１と、開閉パネル４２とで構成されている。そして、輻射パネル３０の前面パネル部３１と開閉パネル４２との間には、左右方向（水平方向）に伸延するスリット状の開口である補助吸込口１０ｂが形成されている。また、開閉パネル４２の上端近傍にも、左右方向に伸延するスリット状の開口である補助吸込口１０ｃが形成されている。図３に示すように、開閉パネル４２の上端と補助吸込口１０ｃとの上下方向に関する距離はＬである。
【００５９】
すなわち、前面パネル４の上下方向の長さは７Ｌであり、補助吸込口１０ｂは、前面パネル４の上端から３Ｌの位置、補助吸込口１０ｃは、前面パネル４の下端から３Ｌの位置にそれぞれ形成されている。つまり、補助吸込口１０ｂ、１０ｃは、前面パネル４の上下方向（高さ方向）中央の領域に設けられている。また、図４に示すように、補助吸込口１０ｂ、１０ｃは、前面熱交換器２２ａと対向している。
【００６０】
＜上フィルタガイド部材７０及び下フィルタガイド部材８０＞
上フィルタガイド部材７０は、左右に並んで配置される２枚の上部フィルタ１６ａの上フィルタ装着領域にそれぞれ設けられており、上部フィルタ１６ａをガイドする。上フィルタガイド部材７０は、上述のように、前面グリル１２に設けられた主ガイド７１と、前面グリル１２の一部である壁面１３と、輻射パネル３０に設けられた主ガイド７２及び補助ガイド７３と、輻射パネル３０の一部である壁面３４とで構成される。主ガイド７１、７２は、本発明の第１ガイド部に対応する。
【００６１】
主ガイド７１は、前面グリル１２の上端部に形成されており、上フィルタガイド部材７０によってガイドされる上部フィルタ１６ａのフィルタ面と略平行となっている。主ガイド７１は、特に、上部フィルタ１６ａの挿入開始時において、上部フィルタ１６ａの左右両端部をガイドするものである。すなわち、主ガイド７１が、第１ガイド部材の挿入開始部に対応する。より詳細には、主ガイド７１は、上部フィルタ１６ａの左右両端部の背面と当接し、前面グリル１２の壁面１３と共に、上部フィルタ１６ａの挿入方向を規制する。
【００６２】
主ガイド７２は、主ガイド７１よりも上方（上部フィルタ１６ａの挿入方向に関して主ガイド７１よりも下流側）において、上部フィルタ１６ａの左右両端部をガイドするものであり、上部フィルタ１６ａのフィルタ面と略平行となっている。主ガイド７２は、より詳細には、主ガイド７２は、上部フィルタ１６ａの左右両端部の背面と当接し、輻射パネル３０の壁面３４と共に、上部フィルタ１６ａの挿入方向を規制する。
【００６３】
補助ガイド７３は、主ガイド７２の前方に形成されている。図８及び図９に示すように、補助ガイド７３の上半分は上下方向に延在しており、補助ガイド７３の下半分は前方に向かって傾斜している。これにより、上フィルタガイド部材７０に装着される上部フィルタ１６ａは、その上端部分の左右両端部が主ガイド７２と補助ガイド７３とによって挟持される。なお、補助ガイド７３の下端は、断熱カバー３２の下前端と一致している。したがって、輻射パネル３０の下方から上方に向かって上部フィルタ１６ａを挿入する際に、上部フィルタ１６ａが挿入経路から外れるのを防ぐことができる。すなわち、上部フィルタ１６ａの背面を主ガイド７２に当接させずに、主ガイド７２から浮かした状態で挿入しても、断熱カバー３２の下前端まで延びた補助ガイド７３により、補助ガイド７３の前方の領域に上部フィルタ１６ａが入り込むことがない。
【００６４】
下フィルタガイド部材８０は、左右に並んで配置される２枚の下部フィルタ１６ｂの上フィルタ装着領域にそれぞれ設けられており、下部フィルタ１６ｂをガイドする。下フィルタガイド部材８０は、上述のように、前面グリル１２に設けられた主ガイド８１及び補助ガイド８２と、前面グリル１２の一部である壁面１３で構成されている。
【００６５】
主ガイド８１は、前面グリル１２の下端部から主ガイド７１の下端まで延びており、下フィルタガイド部材８０によってガイドされる下部フィルタ１６ｂのフィルタ面と略平行に設けられている。そして、下部フィルタ１６ｂの左右両端部の背面と当接し、前面グリル１２の壁面１３と共に、下部フィルタ１６ｂの挿入方向を規制する。すなわち、主ガイド８１が、本発明の第２ガイド手段に対応する。主ガイド８１の上半分は上下方向に沿って延在しており、主ガイド８１の下半分は前方に凸に湾曲している。図７に示すように、補助ガイド８２は、主ガイド８１の湾曲部分の前方に設けられている。これにより、下フィルタガイド部材８０に装着される下部フィルタ１６ｂは、その下半分の左右両端部が主ガイド８１と補助ガイド８２とによって挟持され、前方に凸に湾曲した状態になる。
【００６６】
ここで、図１２を参照しつつ、上フィルタガイド部材７０及び下フィルタガイド部材８０のガイド幅について説明する。ガイド幅とは、上フィルタガイド部材７０または下フィルタガイド部材８０において、フィルタ面と略平行であって、上部フィルタ１６ａまたは下部フィルタ１６ｂの左右両端部をそれぞれガイドする部分の幅の合計である。すなわち、上フィルタガイド部材７０の挿入開始部（領域ａ２）のガイド幅は、上フィルタ装着領域の左右両端部において、上部フィルタ１６ａの背面とそれぞれ当接してフィルタの挿入方向を規制する主ガイド７１の合計幅である。また、上フィルタガイド部材７０の挿入開始部よりもフィルタ挿入方向下流側の部分（領域ａ１）のガイド幅は、上フィルタ装着領域の左右両端部において、上部フィルタ１６ａの背面とそれぞれ当接してフィルタの挿入方向を規制する主ガイド７２の合計幅である。さらに、下フィルタガイド部材８０のガイド幅（すなわち、下フィルタ装着領域である領域Ｂのガイド幅）は、下フィルタ装着領域の左右両端部において、下部フィルタ１６ｂの背面とそれぞれ当接してフィルタの挿入方向を規制する主ガイド８１の合計幅である。
【００６７】
図１２に示すように、上フィルタ装着領域（領域Ａ）の左側端部に位置する主ガイド７１の幅は、Ｗ１である。なお、本実施形態においては、上フィルタ装着領域の左右両端部にそれぞれ設けられた主ガイド７１の幅は等しい。したがって、上フィルタガイド部材７０の挿入開始部（領域ａ２）のガイド幅は、２×Ｗ１である。また、上フィルタ装着領域（領域Ａ）の左側端部に位置する主ガイド７２の幅、及び、下フィルタ装着領域（領域Ｂ）の左側端部に位置する主ガイド８１の幅は、いずれもほぼ等しく、Ｗ２である。なお、主ガイド７１と同様に、領域Ａの左右両端部にそれぞれ設けられた主ガイド７２の幅、及び領域Ｂの左右両端部にそれぞれ設けられた主ガイド８１の幅はいずれも等しい。したがって、上フィルタガイド部材７０の挿入開始部よりもフィルタ挿入方向下流側の部分（領域ａ１）のガイド幅、及び下フィルタ装着領域（領域Ｂ）のガイド幅は、２×Ｗ２である。そして、上フィルタガイド部材７０の挿入開始部である領域ａ２におけるガイド幅（２×Ｗ１）は、上フィルタガイド部材７０の挿入開始部より挿入方向下流側の領域ａ１及び下フィルタ装着領域である領域Ｂにおけるガイド幅（２×Ｗ２）よりも大きい。
【００６８】
また、主ガイド７２、８１の幅Ｗ２は、上部フィルタ１６ａ及び下部フィルタ１６ｂの左右両端部の桟の幅とほぼ同じ幅である。さらに、主ガイド７２、８１と対向する位置にそれぞれ配置される補助ガイド７３、８２の幅も、主ガイド７２、８１の幅Ｗ２とほぼ同じである。したがって、上フィルタガイド部材７０及び下フィルタガイド部材８０に上部フィルタ１６ａ及び下部フィルタ１６ｂを装着した際に、主ガイド７２、８１や補助ガイド７３、８２によって通風抵抗が増大したり、上部フィルタ１６ａ及び下部フィルタ１６ｂにおいて塵埃を除去できる範囲が狭くなったりするのを防ぐことができる。
【００６９】
＜下部フィルタ１６ｂの装着手順＞
次に、図１３をさらに参照しつつ、下部フィルタ１６ｂの装着手順について説明する。
まず、図１１に示すように、開閉パネル４２を取り外して、フィルタ挿入可能状態とする。これにより、下部フィルタ１６ｂの装着領域である領域Ｂが露出した状態となる。そして、図１３（ａ）に示すように、上部フィルタ１６ａの下端部分の左右両端部の背面を、下フィルタガイド部材８０の主ガイド８１の上端部と当接させる。このとき、主ガイド８１及び前面グリル１２の壁面１３によって、下部フィルタ１６ｂの挿入方向が規制される。
【００７０】
続いて、上述のように挿入方向が規制された状態の下部フィルタ１６ｂを、挿入方向（下方向）に沿って挿入する。そして、図１３（ｂ）に示すように、下部フィルタ１６ｂの下端部が補助ガイド８２と対向する位置まで達すると、下部フィルタ１６ｂの左右両端部が主ガイド８１と補助ガイド８２とによって挟持され、前方に凸となるように曲げられる。その後図１３（ｃ）に示すように、下部フィルタ１６ｂ全体がフィルタ装着領域である領域Ｂ内に収まるまで下部フィルタ１６ｂを挿入する。このとき、下部フィルタ１６ｂの下半分が、前方に凸に湾曲した状態となる。
【００７１】
＜本実施形態の室内機１の特徴＞
本実施形態の室内機１は、ケーシング１０の下端部の前方に設けられた主吸込口１０ａから室内熱交換器２２の前面熱交換器２２ａに至る流路に設けられた上部フィルタ１６ａ及び下部フィルタ１６ｂを備えている。そして、下部フィルタ１６ｂは、前面熱交換器２２ａよりも下方の少なくとも一部が前方に凸に湾曲している。
したがって、下部フィルタ１６ｂが湾曲していない場合に比べて、前面熱交換器２２ａよりも下方における上部フィルタ１６ａの面積を増加させ、通風抵抗を小さくすることができる。よって、ケーシング１０の下端部の前方に設けられた主吸込口１０ａから吸い込まれた空気は、前面熱交換器２２ａよりも下方において、上部フィルタ１６ａを通過して背面側に流れやすくなる。これにより、背面熱交換器２２ｂへの空気の供給不足を抑制し、室内熱交換器２２の熱交換効率の低下を抑えることができる。
【００７２】
また、本実施形態の室内機１は、室内熱交換器２２の下方に設けられたドレンパン２４を備えている。ドレンパン２４を備えている場合には、ドレンパン２４によって背面熱交換器２２ｂに空気が供給されにくくなる。よって、このような場合に、本発明を適用するのは効果的である。
【００７３】
また、本実施形態の室内機１では、前面熱交換器２２ａが、前面パネル４に略平行に設けられている。したがって、前面熱交換器２２ａが前面パネル４に対して傾斜している場合に比べて、前面パネル４と前面熱交換器２２ａとの間に形成された空気流路の抵抗を小さくできる。
【００７４】
さらに、本実施形態の室内機１では、前面熱交換器２２ａの面積が、背面熱交換器２２ｂの面積よりも大きい。比較的面積の小さい背面熱交換器２２ｂ側は、前面熱交換器２２ａ側に比べて空気が流れにくい。よって、このような場合に、本発明を適用するのは効果的である。
【００７５】
加えて、本実施形態の室内機１では、ケーシング１０内において、前面熱交換器２２ａ及び背面熱交換器２２ｂと対向するように設けられたクロスフローファン２１を備えている。したがって、クロスフローファン２１の駆動によって主吸込口１０ａから吸い込まれた空気を、前面熱交換器２２ａ及び背面熱交換器２２ｂに供給できる。
【００７６】
また、本実施形態の室内機１は、下部フィルタ１６ｂの前面熱交換器２２ａよりも下方の部分を前方に凸に湾曲するようにガイドする主ガイド８１及び補助ガイド８２を備えている。したがって、主ガイド８１及び補助ガイド８２によって、確実に下部フィルタ１６ｂを湾曲させることができる。
【００７７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７８】
例えば、上述の実施形態では、下部フィルタ１６ｂにおけるドレンパン２４の下方の部分が前方に凸に湾曲している場合について説明したが、下部フィルタ１６ｂにおいて湾曲している部分はこれに限定されず、前面熱交換器２２ａよりも下方の少なくとも一部分が前方に凸に湾曲していればよい。
【００７９】
また、上述の実施形態では、主吸込口１０ａは、本体フレーム１１の下前端と前面パネル４の下端との間に形成されており、ケーシング１０の下端部における前後方向中央位置よりも前方側に設けられている場合について説明したが、これには限定されない。主吸込口１０ａは、ケーシング１０の下端部の前後方向中央位置を跨いで形成されていても、中央位置よりも前方側に形成されている部分が、背面側に形成されている部分よりも大きければよい。また、主吸込口１０ａは、前面パネル４に設けられていてもよいし、前面パネル４とケーシング１０の下壁とに跨って設けられていてもよい。
【００８０】
さらに、上述の実施形態では、前面熱交換器２２ａが、前面パネル４に略平行に設けられている場合について説明したが、前面熱交換器２２ａは、前面パネル４に対して傾斜していてもよい。
【００８１】
加えて、上述の実施形態では、前面熱交換器２２ａの面積が、背面熱交換器２２ｂの面積よりも大きい場合について説明したが、前面熱交換器２２ａの面積は、背面熱交換器２２ｂの面積と同じであってもよいし、背面熱交換器２２ｂの面積よりも小さくてもよい。
【００８２】
さらに、上述の実施形態では、前面熱交換器２２ａ及び背面熱交換器２２ｂと対向するように設けられたクロスフローファン２１を備えている場合について説明したが、これには限定されない。すなわち、クロスフローファン２１に代えてターボファン等を用いてもよい。
【００８３】
また、上述の実施形態では、下部フィルタ１６ｂの前面熱交換器２２ａよりも下方の部分を前方に凸に湾曲するようにガイドする主ガイド８１及び補助ガイド８２を備えている場合について説明したが、これには限定されない。すなわち、例えば、下部フィルタ１６ｂが湾曲形状に形成されている場合には、下部フィルタ１６ｂを湾曲させるガイドはなくてもよい。
【００８４】
加えて、上述の実施形態では、床面から１０ｃｍ程度浮かした状態で、壁面に取り付けられる床置き室内機１について説明したが、これには限定されない。本発明は、床面近傍に設置される床置き室内機全般に適用可能である。したがって、床面に設置される床置き室内機に適用してもよい。
【産業上の利用可能性】
【００８５】
本発明を利用すれば、熱交換効率の低下を防ぐことができる。
【符号の説明】
【００８６】
１  室内機
４  前面パネル
１０  ケーシング
１０ａ  主吸込口
１０ｄ  吹出口
１６ａ  上部フィルタ
１６ｂ  下部フィルタ
２１  クロスフローファン
２２  室内熱交換器
２２ａ  前面熱交換器
２２ｂ  背面熱交換器
２４  ドレンパン
８１  主ガイド（ガイド手段）
８２  補助ガイド（ガイド手段）
【図１】
0005267539.tif 000002
【図２】
0005267539.tif 000003
【図３】
0005267539.tif 000004
【図４】
0005267539.tif 000005
【図５】
0005267539.tif 000006
【図６】
0005267539.tif 000007
【図７】
0005267539.tif 000008
【図８】
0005267539.tif 000009
【図９】
0005267539.tif 000010
【図１０】
0005267539.tif 000011
【図１１】
0005267539.tif 000012
【図１２】
0005267539.tif 000013
【図１３】
0005267539.tif 000014